(57)【要約】  本開示の少なくともいくつかの態様は、１つ以上の層により形成された空気構造体と、部分的に取外し可能なアクセスダクトと、部分的に取外し可能なアクセスダクトの面上に配置された分離装置とを備える対流装置を特徴とする。部分的に取外し可能なアクセスダクトは、空気構造体と流体連通状態にある。
2018500110.tif 000002
【特許請求の範囲】
【請求項１】
１つ以上の層により形成された空気構造体と、
膨張媒体源と連通状態にあるホースを受け入れるように構成された部分的に取外し可能なアクセスダクトであって、前記空気構造体と流体連通状態にある部分的に取外し可能なアクセスダクトと、
前記部分的に取外し可能なアクセスダクトの面上に配置された分離装置とを備える、対流装置。
【請求項２】
前記分離装置は、分離要素と、前記分離要素を囲むシールとを備える、請求項１に記載の対流装置。
【請求項３】
前記分離要素は、脆弱ライン、ミシン目、及びスリットのうちの少なくとも１つを備える、請求項１に記載の対流装置。
【請求項４】
前記アクセスダクトは、前記アクセスダクト内に配置された空気ガイド装置を備え、前記空気ガイド装置は、前記アクセスダクトが曲げられたときに膨張媒体の流れを方向付けるように構成される、請求項１に記載の対流装置。
【請求項５】
前記空気ガイド装置は、複数の区画されたシールを備える、請求項４に記載の対流装置。
【請求項６】
前記区画されたシールのうちの少なくとも一部が、前記アクセスダクトの長手方向エッジに近接して配置される、請求項５に記載の対流装置。
【請求項７】
前記区画されたシールのうちの少なくとも一部が、前記長手方向エッジに沿って概ね等間隔で配置される、請求項６に記載の対流装置。
【請求項８】
膨張媒体源に連結するように構成されたホースと、
対流装置であって、
１つ以上の層により形成された空気構造体、
前記ホースを受け入れるように構成された部分的に取外し可能なアクセスダクトであって、前記空気構造体と流体連通状態にある部分的に取外し可能なアクセスダクト、及び
前記部分的に取外し可能なアクセスダクトの面上に配置された分離装置を備える、対流装置とを備える、対流システム。
【請求項９】
前記分離装置は、分離要素と、前記分離要素を囲むシールとを備える、請求項８に記載の対流システム。
【請求項１０】
前記分離要素は、脆弱ライン、ミシン目、及びスリットのうちの少なくとも１つを備える、請求項８に記載の対流システム。
【請求項１１】
前記アクセスダクトは、前記アクセスダクト内に配置された空気ガイド装置を備え、前記空気ガイド装置は、前記アクセスダクトが曲げられたときに膨張媒体の流れを方向付けるように構成される、請求項８に記載の対流システム。
【請求項１２】
前記空気ガイド装置は、複数の区画されたシールを備える、請求項１１に記載の対流システム。
【請求項１３】
前記区画されたシールのうちの少なくとも一部が、前記アクセスダクトの長手方向エッジに近接して配置される、請求項１２に記載の対流システム。
【請求項１４】
前記区画されたシールのうちの少なくとも一部が、前記長手方向エッジに沿って概ね等間隔で配置される、請求項１３に記載の対流システム。
【請求項１５】
包囲要素と、
前記包囲要素から延在する把持構成要素とを備える、ホースクランプを更に備え、
前記ホースクランプは、前記アクセスダクトと前記ホースの連結部にて使用するように構成される、請求項８に記載の対流システム。
【請求項１６】
前記包囲要素は、第１の端部及び第２の端部を有し、前記係合構成要素は、前記第１の端部に近接して配置された第１のセットの係合要素を備える、請求項１５に記載の対流システム。
【請求項１７】
前記係合構成要素は、前記第２の端部に近接して配置された第２のセットの係合要素を更に備える、請求項１６に記載の対流システム。
【発明の詳細な説明】
【技術分野】
【０００１】
本開示は、対流システムと、加温及び冷却のために対流システムで使用される構成要素とに関する。
【発明の概要】
【０００２】
本開示のうちの少なくともいくつかの態様は、１つ以上の層により形成された空気構造体と、部分的に取外し可能なアクセスダクトと、部分的に取外し可能なアクセスダクトの面上に配置された分離装置とを備える対流装置を特徴とする。部分的に取外し可能なアクセスダクトは、膨張媒体源と連通状態にあるホースを受け入れるように構成され、空気構造体と流体連通状態にある。
【０００３】
本開示の少なくともいくつかの態様は、膨張媒体源に連結するように構成されたホースと、対流装置とを備える対流システムを特徴とする。対流装置は、１つ以上の層により形成された空気構造体と、部分的に取外し可能なアクセスダクトと、部分的に取外し可能なアクセスダクトの面上に配置された分離装置とを備える。部分的に取外し可能なアクセスダクトは、膨張媒体源と連通状態にあるホースを受け入れるように構成され、空気構造体と流体連通状態にある。
【図面の簡単な説明】
【０００４】
添付の図面は、本明細書に援用され、本明細書の一部をなし、説明文と併せて本発明の利点及び原理を説明するものである。
【０００５】
【図１Ａ】可撓性ダクトの一実施形態を示す。
【０００６】
【図１Ｂ】膨張され曲げられたときの図１Ａに示す可撓性ダクトの斜視図である。
【０００７】
【図２Ａ】可撓性ダクトの一例を示す。
【０００８】
【図２Ｂ】空気ガイド要素にて曲げられた図２Ａに示す可撓性ダクトを示す。
【０００９】
【図２Ｃ】可撓性ダクトの別の例を示す。
【００１０】
【図２Ｄ】膨張され曲げられた図２Ｃに示す可撓性ダクトの斜視図である。
【００１１】
【図２Ｅ】可撓性ホースのいくつかの例の構造を示す。
【図２Ｆ】可撓性ホースのいくつかの例の構造を示す。
【図２Ｇ】可撓性ホースのいくつかの例の構造を示す。
【００１２】
【図３Ａ】一体化された可撓性ダクトを有する対流装置の一例を示す。
【００１３】
【図３Ｂ】可撓性ダクトが部分的に取り外された、図３Ａに示す対流装置を示す。
【００１４】
【図３Ｃ】ホースに連結した可撓性ダクトを使用して膨張されている図３Ａに示す対流装置を示す。
【００１５】
【図４Ａ】空気ガイド要素のいくつかの例を示す。
【図４Ｂ】空気ガイド要素のいくつかの例を示す。
【図４Ｃ】空気ガイド要素のいくつかの例を示す。
【図４Ｄ】空気ガイド要素のいくつかの例を示す。
【図４Ｅ】空気ガイド要素のいくつかの例を示す。
【図４Ｆ】空気ガイド要素のいくつかの例を示す。
【図４Ｇ】空気ガイド要素のいくつかの例を示す。
【図４Ｈ】空気ガイド要素のいくつかの例を示す。
【００１６】
【図５Ａ】ホースクランプの一実施形態の斜視図である。
【００１７】
【図５Ｂ】図５Ａに示すホースクランプの側面図である。
【００１８】
【図５Ｃ】ホースクランプの別の実施形態の正面図である。
【００１９】
【図６Ａ】包囲要素の内方表面に面したホースクランプの平坦図である。
【００２０】
【図６Ｂ】図６Ａに示すホースクランプの斜視図である。
【００２１】
【図６Ｃ】図６Ａに示すホースクランプの側面図である。
【００２２】
【図６Ｄ】係合構成要素のいくつかの例の構成を示す。
【図６Ｅ】係合構成要素のいくつかの例の構成を示す。
【図６Ｆ】係合構成要素のいくつかの例の構成を示す。
【図６Ｇ】係合構成要素のいくつかの例の構成を示す。
【００２３】
【図７Ａ】ノズル構成のいくつかの例を示す。
【図７Ｂ】ノズル構成のいくつかの例を示す。
【図７Ｃ】ノズル構成のいくつかの例を示す。
【図７Ｄ】ノズル構成のいくつかの例を示す。
【図７Ｅ】ノズル構成のいくつかの例を示す。
【図７Ｆ】ノズル構成のいくつかの例を示す。
【図７Ｇ】ノズル構成のいくつかの例を示す。
【図７Ｈ】ノズル構成のいくつかの例を示す。
【図７Ｉ】ノズル構成のいくつかの例を示す。
【図７Ｊ】ノズル構成のいくつかの例を示す。
【図７Ｋ】ノズル構成のいくつかの例を示す。
【図７Ｌ】ノズル構成のいくつかの例を示す。
【図７Ｍ】ノズル構成のいくつかの例を示す。
【図７Ｎ】ノズル構成のいくつかの例を示す。
【００２４】
【図８Ａ】可撓性ダクトを使用した対流システムの一例を示す。
【図８Ｂ】可撓性ダクトを使用した対流システムの一例を示す。
【図８Ｃ】可撓性ダクトを使用した対流システムの一例を示す。
【００２５】
これらの図面中、同様の参照番号は、同様の要素を示す。上記で定義された図面は、一定の縮尺で描かれていない場合があり、本開示の様々な実施形態を示すものであるが、「発明を実施するための形態」で記述されるように、他の実施形態もまた想到される。いずれの場合でも、本開示は、本明細書で開示される開示内容を、明示的な限定としてではなく、例示的実施形態の代表例として説明する。当業者は、本開示の範囲及び趣旨に含まれる多数の他の修正及び実施形態を考案することが可能である点を理解されたい。
【発明を実施するための形態】
【００２６】
別途記載のない限り、本明細書及び特許請求の範囲で使用される特徴部の寸法、量、及び物理的特性を表す全ての数字は、いずれの場合においても「約」という用語によって修飾されるものとして理解されたい。したがって、そうでない旨が示されない限り、前述の明細書及び添付の「特許請求の範囲」において示される数値パラメータは、本明細書に開示される教示を利用して当業者が得ようとする所望の特性に応じて変わり得る近似値である。端点による数値範囲の使用は、その範囲内の全ての数字（例えば１〜５は、１、１．５、２、２．７５、３、３．８０、４、及び５を含む）と、その範囲内の任意の範囲とを含む。
【００２７】
本明細書及び添付の特許請求の範囲において、単数形「ａ」、「ａｎ」、及び「ｔｈｅ」は、その内容について別段の明確な指示がない限り、複数の指示対象を有する実施形態を包含する。本明細書及び添付の特許請求の範囲において、用語「又は」は、一般に、その内容物が特に明確な指示をしない限り、「及び／又は」を含む意味で使用される。
【００２８】
対流装置は、一般的には気体状の物質を分配する装置を指す。例えば、対流装置は、加圧され加温された空気の流れを受け入れ、加圧された空気に応答して膨張し、加温された空気を空気構造内に分配し、加温された空気を身体上に放出して、快適性を上昇させる、震えを軽減する、及び低体温症を治療又は防止するなどの目的を達成することが可能である。いくつかの実施形態では、対流装置は、インフレーションフィルムから作製された管状対流装置である。かかる実施形態では、対流装置は、空気構造体を形成するためにシールを使用しない。いくつかの場合では、対流装置は、空気構造体を形成するための均質材料を含む。いくつかの場合では、対流装置のうちの少なくとも一部が、加圧された流体を通過させ得る様々な形状の開口を有する。いくつかの実施形態では、切り離しミシン目が付いた又は付いていない複数の管状対流装置が、ロール状に形成される。
【００２９】
いくつかの実施形態では、対流装置は、２つの層により形成された空気構造体を有し、各層は、１つ以上のシートを含み、これらの層のうちの少なくとも１つが、空気透過性であり、これにより空気分配を可能にする。いくつかの場合では、これらの２つの層は、同一のシートにより形成される。本明細書において、「膨張可能」とは、空気又は他の気体が大気圧超の圧力で構造体の内部に供給されるときに体積が増大する構造体を指す。典型的には、これらの構造体は、１００ｍｍＨｇ未満の圧力、好ましくは５０ｍｍＨｇ未満の圧力、より好ましくは２５ｍｍＨｇ未満の圧力など、比較的低い圧力において膨張する。いくつかの場合では、膨張可能セクションの体積は、１００％超増大することが可能である。
【００３０】
本開示の少なくともいくつかの実施形態は、対流装置と共に使用される可撓性ダクトに関する。いくつかの場合では、可撓性ダクトは、ブランケットとして使用され得る又はガウンの中に挿入され得る対流装置と一体化される。いくつかの場合では、可撓性ダクトは、使い捨て型であり、ダクトは、例えば不織材料又はインフレーションフィルム等の使い捨て材料から作製される。いくつかの実施形態では、可撓性ダクトは、ダクトが曲げられたときに空気を方向付けるための空気ガイド装置を含む。典型的には、ダクトの空気構造体は、ダクトが曲げられる曲げエリアに近接してねじられるか、又は挟みつぶされる。いくつかの場合では、可撓性ダクトは、空気ガイド装置を更に備え、この空気ガイド装置は、曲げエリアにおける膨張媒体の圧力降下を軽減するために膨張媒体を方向付けるようになっている１つ以上の空気ガイド要素を含んでもよい。例えば、可撓性ダクトは、空気ガイド装置を含み、それにより可撓性ダクトが膨張されたときにこの空気ガイド装置に近接して１つ以上の折り目を形成するのを補助することが可能である。いくつかの実施形態では、空気ガイド装置は、対流装置の空気構造体内に配置された空気ガイド要素を含む。本明細書において、「中に」は、構造体のエッジを含む、概ね構造体の中における空間関係を説明するために使用される。
【００３１】
本開示のうちの少なくともいくつかの実施形態は、部分的に取外し可能なアクセスダクトを有する対流装置に関する。いくつかの場合では、アクセスダクトは、膨張媒体源に連結するホースとの容易な連結を可能にする。いくつかの実施形態では、アクセスダクトは、例えば対流装置の同一の材料層を使用して対流装置と一体化される。いくつかの実施形態では、対流装置は、対流装置からアクセスダクトを部分的に取り外すために、アクセスダクトのエッジに配置された分離装置を含む。
【００３２】
図１Ａは、可撓性ダクト１００の一実施形態を示す。可撓性ダクト１００は、膨張されたときに概ね管形状となる膨張可能管状構造体１０５を含む。可撓性ダクトは、可撓性材料１０７から作製される。いくつかの実施形態では、第１の長手方向エッジ１１０及び第１の長手方向エッジ１１０に対向する第２の長手方向エッジ１２０を備える管状構造体１０５。いくつかの場合では、空気ガイド装置１３０が、管状構造体１０５上にパターン状に配置された複数の空気ガイド要素を含み、空気ガイド装置１３０は、管状構造体が曲げられたときに膨張媒体の流れを方向付けるように構成される。図示する例では、空気ガイド要素は、区画されたシールである。いくつかの場合では、空気ガイド要素は、例えば円形、卵形、正方形、矩形、又は多角形等の任意の閉形状であることが可能である。いくつかの場合では、空気ガイド要素は、例えば線又は曲線等の任意の形状の小さいシールであることが可能である。本明細書において、小さいシールは、例えば２インチ（５．０８ｃｍ）未満などの比較的小さい長さ又は直径を有するシールを指す。いくつかの場合では、複数の空気ガイド要素は、等間隔で配置され得る。いくつかの場合では、複数の空気ガイド要素のうちの少なくともいくつかが、長手方向エッジのうちの１つから１インチ（２．５４ｃｍ）未満の位置に配置される。いくつかの場合では、複数の空気ガイド要素のうちの少なくともいくつかが、長手方向エッジのうちの１つから２インチ（５．０８ｃｍ）未満の位置に配置される。いくつかの実施形態では、可撓性ダクト１００Ａは、膨張されていないときに２つの可撓性材料層を備えることが可能であり、各層は、同一の材料を使用することも異なる材料を使用することも可能である。
【００３３】
いくつかの実施形態では、空気ガイド装置１３０は、第１の長手方向エッジ１１０に近接して配置された第１のセットの空気ガイド要素１３１と、第２の長手方向エッジ１２０に近接して配置された第２のセットの空気ガイド要素１３２とを含む。いくつかの場合では、第１のセットの空気ガイド要素１３１は、第１の長手方向エッジ１１０に沿って概ね等間隔で配置され、かつ／又は第２のセットの空気ガイド要素１３２は、第２の長手方向エッジ１２０の方向に沿って概ね均等な間隔で配置される。一実施形態では、第１のセットの空気ガイド要素１３１及び第２のセットの空気ガイド要素１３２は、互い違いのパターンで配置される。
【００３４】
図１Ｂは、膨張され、曲げられたときの可撓性ダクト１００の斜視図を示す。いくつかの場合では、空気ガイド装置１３０は、ダクト１００が膨張された及び曲げられたときに、空気ガイド装置１３０に近接して折り目１３５を形成するのを補助する。図示する場合では、折り目１３５は、第１のセットの空気ガイド要素１３１と第２のセットの空気ガイド要素１３２との間に形成される。これらの空気ガイド要素の分散により、折り目の分散がもたらされ、更に、ダクトが可撓性となって曲がるようにより広い曲げエリアが与えられる。
【００３５】
図２Ａは、可撓性ダクト２００Ａの一例を示す。可撓性ダクト２００Ａは、第１のエッジ２２０Ａと、第２のエッジ２３０Ａと、膨張可能チャネル２４５Ａと、可撓性ダクトが膨張され曲げられたときに膨張媒体の流れを方向付けるように構成された１つ以上の空気ガイド要素２１０Ａを含む空気ガイド装置２１２Ａとを有する。いくつかの場合では、空気ガイド要素２１０Ａは、第１のエッジ２２０Ａ及び／又は第２のエッジ２３０Ａに近接して配置される。図２Ｂは、空気ガイド要素２１０Ａのうちの１つにおいて曲げられた可撓性ダクト２００Ａを示し、可撓性ダクト２００Ａは、曲げ箇所にて分離された第１の部分２４１Ａ及び第２の部分２４２Ａへと分離される。いくつかの場合では、空気ガイド要素２１０Ａは、第１の部分２４１Ａ及び第２の部分２４２Ａを連結する膨張可能チャネル２４５Ａ内に配置される。いくつかの場合では、空気ガイド要素２１０Ａは、可撓性ダクト２１０Ａが膨張され曲げられたときに、空気ガイド要素２１０Ａのエッジにおいて例えば２１５Ａなどの折り目の形成を助長するように構成される。いくつかの場合では、管状可撓性ダクトのエッジから管構造体に向かって延在するガイドシールを含む空気ガイド要素２１０Ａ。
【００３６】
図２Ｃは、可撓性ダクト２００Ｃの一例の一部分の詳細図を示す。図示するように、可撓性ダクト２００Ｃは、不織材料を使用してもよい。ダクト２００Ｃは、曲げを助長する複数のプリーツ２３０Ｃを含む。図２Ｄは、膨張され曲げられている可撓性ダクト２００Ｃの斜視図を示す。いくつかの実施形態では、ダクトは、ダクト材料のＺ折りプリーツ構成を含む。これらのプリーツは、膨張及び移動の最中にそれらの形状を拘束するように各側に溶接される。プリーツが形成されると、ダクト２００Ｃの長手方向軸２４０Ｃに沿ったエッジ（２１０Ｃ、２２０Ｃ）が、溶接又は熱シールされて、プリーツ２３０Ｃを定位置に保持する。１つ以上のヒートシールが、ダクト２００Ｃの２つのエッジ間に、ダクト２００Ｃの長手方向軸２４０Ｃの方向に形成され得る。
【００３７】
図２Ｅ〜図２Ｇは、可撓性ホースのいくつかの例の構造を示す。図２Ｅは、インフレーションフィルムから作製された対流装置２００Ｅを示し、この場合にはエッジにシールが存在しない。複数の空気ガイド要素２１０Ｅを含む空気ガイド装置が、ダクト２００Ｅのエッジに沿って配置される。インフレーションフィルムは、例えばポリエチレン、ポリエステル、ポリプロピレン（ＰＰ）、高密度ポリエチレン（ＨＤＰＥ）、ポリエチレンテレフタレート（ＰＥＴ）、又はポリアミド（ＰＡ）等の適切な可撓性ポリマー材料から作製され得る。インフレーションフィルムは、典型的には均質材料から作製される。
【００３８】
図２Ｆは、２つの層２２０Ｆ及び２２２Ｆを含む可撓性ダクト２００Ｆを示し、２つの層２２０Ｆ及び２２２Ｆは、長手方向エッジ２４０Ｆにてシールされて空気構造体を形成する。いくつかの場合では、可撓性ダクト２００Ｆは、空気ガイド装置（図示せず）を含む。図２Ｇは、可撓性ダクト２００Ｇがその長手方向エッジ２４０Ｇにてシールされた１つの材料層２２０Ｇを含むことを示す。典型的には、ダクトの１つ以上の層が、可撓性材料から作製される。いくつかの場合では、可撓性ダクト２００Ｇは、空気ガイド装置（図示せず）を含む。
【００３９】
いくつかの実装形態では、可撓性ダクトは、対流装置と一体化されてもよい。いくつかの実施形態では、対流装置の層が、１つ以上の材料シートを含んでもよい。いくつかの場合では、対流装置の層が、熱シール性ポリマー材料の上面シートに結合可能であるポリマー材料から構成された可撓性で繊維性の、好ましくは不織の構造体から形成された下面シートを含む。例えば、下面シートは、不織の水流交絡ポリエステル材料であってもよく、上面層は、ポリエステル層の上に押出被覆、熱積層、又は接着剤積層されたポリプロピレンフィルムなどのポリオレフィンを含んでもよい。代替的には、下面シートは、ポリエチレンフィルム、ポリエステルフィルム、又はポリプロピレンフィルムのいずれかを含む上面層が膠剤積層されている不織の紙ベース材料を備えてもよい。一実施形態では、上面シート及び下面シートは、熱シール性プラスチック層が予め積層された吸収性ティッシュペーパ層で作製され得る。いくつかの場合では、第１の層及び第２の層の両方が、同一のポリマー材料を含むことが可能である。
【００４０】
いくつかの実施形態では、可撓性ダクトの１つ又は２つの層が、押出被覆されたポリオレフィン不織布から作製され、各層は、一方の側にポリプロピレンコーティングを有する。いくつかの他の実施形態では、１つ以上の層が、ポリオレフィンベース押出被覆でポリ乳酸スパンボンドされ得る。いくつかの場合では、対流装置が組み立てられるときに、第１の層のポリプロピレン被覆側が、外縁及び１つ以上の箇所にて第２の層のポリプロピレン被覆側にシールされて、構造を形成する。このシール工程は、例えば超音波溶接、高周波溶接、又は熱シール等の様々な技術を利用することが可能である。代替的には、第１の層及び第２の層がそれぞれ、ポリプロピレン及びポリオレフィンのウェブの積層体を含んでもよい。
【００４１】
いくつかの場合では、可撓性ダクトが、対流装置と共に使用され得る。いくつかの他の場合では、可撓性ダクトが、対流装置と一体化され得る。可撓性ダクトは、平坦なパッケージで発送され得る。図３  ３Ａは、一体化された可撓性ダクト３３０を有する対流装置３００の一例を示し、図３Ｂは、可撓性ダクトが部分的に取り外された対流装置３００を示し、図３Ｃは、ホースに連結した可撓性ダクトを使用して膨張されている対流装置３００を示す。対流装置３００は、１つ以上の層３０５により形成された空気構造体３１０を含む。空気構造体３１０は、外縁シール３０６により外縁の周囲でシールされた１つ以上の層３０５によって形成され得る。いくつかの場合では、対流装置３００は、空気チャネルを画定する連続シール又は不連続シール３０８を含んでもよい。
【００４２】
対流装置は、部分的に取外し可能なアクセスダクト３３０の面上に配置された分離装置３３５を含んでもよい。いくつかの実施形態では、分離装置３３５は、分離要素３３６及び分離要素３３６を囲むシール３３７を含む。いくつかの場合では、分離要素３３６は、例えば脆弱ライン、ミシン目、又はスリット等のうちの少なくとも１つを含む。アクセスダクト３３０は、本開示に記載される任意の構成の可撓性ダクトを使用することが可能である。例えば、アクセスダクト３３０は、空気ガイド装置を含んでもよく、空気ガイド装置は、アクセスダクトが曲げられたときに膨張媒体の流れを方向付けるように構成される。別の例としては、アクセスダクトは、空気ガイド装置を含んでもよく、空気ガイド装置は、アクセスダクトの一方又は両方の長手方向エッジに近接して配置された複数の空気ガイド要素を含む。部分的に取外し可能なアクセスダクト３３０は、図３Ｃに示すように膨張媒体源（図示せず）と連結状態にあるホース３５０を受け入れるように構成される。ホースクランプ３６０が、アクセスダクト３３０及びホース３５０の連結を維持するために使用されてもよい。ホースクランプ３６０については、以下で更に詳細に論じられる。部分的に取外し可能なアクセスダクト３３０は、空気構造体３１０と流体連通状態にある。
【００４３】
図４Ａ〜図４Ｈは、空気ガイド装置／空気ガイド要素のいくつかの例を示す。図４Ａは、２つのガイドシール４０２Ａ及び４０４Ａを含む空気ガイド装置又は空気ガイド要素４００Ａを示し、両シールは、外縁シール４１０Ａから延在している。図４Ｂは、外縁シール４１０Ｂから延在する１つのガイドシール４０２Ｂを含む空気ガイド装置又は空気ガイド要素４００Ｂを示す。図４Ｃは、連続シール４０２Ｃを含む空気ガイド装置又は空気ガイド要素４００Ｃを示し、連続シール４０２Ｃは、外縁シール４１０Ｃ上の第１の位置４１１Ｃから開始し、第１の位置４１１Ｃとは異なる外縁シール４１０Ｃ上の第２の位置４１２Ｃにて終端する曲線形状である。対流装置が膨張されると、空気ガイド装置４００Ｃは、対流装置が曲げられる箇所にて対流装置中の空気ガイド装置４００Ｃに近接して複数の折り目を形成するのを助長することが可能である。図４Ｄは、連続シール４０２Ｄを含む空気ガイド装置又は空気ガイド要素４００Ｄを示し、連続シール４０２Ｄは、外縁シール４１０Ｄ上の第１の位置４１１Ｄから開始し、第１の位置４１１Ｄとは異なる外縁シール４１０Ｄ上の第２の位置４１２Ｄにて終端する。
【００４４】
図４Ｅは、外縁シール４１０Ｅから延在する３つのガイドシール４０２Ｅを含む空気ガイド装置又は空気ガイド要素４００Ｅを示す。図４Ｆは、外縁シール４１０Ｆに近接して配置されるが外縁シール４１０Ｆに接触しない１つのシール４０２Ｆを含む空気ガイド装置又は空気ガイド要素４００Ｆを示す。図４Ｇは、外縁シール４１０Ｇに近接して配置されるが外縁シール４１０Ｇに接触しない閉形状の１つの連続シール４０２Ｇ又は閉形状のシール４０２Ｇを含む空気ガイド装置又は空気ガイド要素４００Ｇを示す。シール４０２Ｇは、例えば円形、卵形、正方形、矩形、又は多角形等の任意の閉形状であることが可能である。いくつかの場合では、シール４０２Ｇは、外縁シール４１０Ｇから１インチ（２．５４ｃｍ）未満に位置する。いくつかの場合では、シール４０２Ｇは、外縁シール４１０Ｇから２インチ（５．０８ｃｍ）未満に位置する。
【００４５】
図４Ｈは、外縁シール４１０Ｈの一体部分であるか又は外縁シール４１０Ｈに近接した空気ガイド装置４００Ｈの一例を示す。空気ガイド装置４００Ｈは、図１Ａ、図２Ａ、及び図３Ａに図示するような空気構造体の第１の部分と第２の部分との間にジグザク部分４０２Ｈを含み、例えばこのジグザグ部分４０２Ｈは、構成可能な対流装置が膨張されたときに曲げエリアにおける膨張媒体の圧力降下を軽減するために、複数の分散された折り目の発生を助長し、膨張媒体を方向付けるようになっており、第１の部分及び第２の部分の少なくとも一方は、これらの２つの部分の間の空気チャネルが曲げられるように再構成される。いくつかの場合では、ジグザグ部分４０２Ｈは、外縁シール４１０Ｈと一体化される。いくつかの場合では、外縁シール全体が、ジグザグ状であることが可能である。いくつかの場合では、ジグザグ部分４０２Ｈは、波形状である。いくつかの場合では、ジグザグ部分は、曲線形状、正方形鋸歯形状、三角形鋸歯形状、若しくは同様の形状、又は形状の組み合わせである。
【００４６】
可撓性ダクト又は部分的に取り外されるアクセスダクトを使用するいくつかの場合では、ホースクランプを使用して、膨張媒体源に連結したホースと可撓性ダクト又はアクセスダクトとの間に十分に気密な連結を維持することができる。図５Ａは、ホースクランプ５００の一実施形態の斜視図を示し、図５Ｂは、ホースクランプ５００の側面図を示す。図示する実施形態では、ホースクランプ５００は、包囲要素５１０と、包囲要素から延在する任意選択的な把持構成要素５２０と、包囲要素上に配置される又は包囲要素と一体化された任意選択的な係合構成要素５３０とを含む。包囲要素５１０は、内方表面５１２及び対向する外方表面５１４を含む。いくつかの場合では、包囲要素５１０の中心角５５０は、１８０度超である。いくつかの場合では、包囲要素５１０の中心角５５０は、３６０度未満である。
【００４７】
いくつかの実施形態では、係合構成要素５３０は、複数の係合要素５３５を含む。いくつかの実装形態では、係合構成要素５３０は、例えば線パターン、波パターン、又は端部に近接して密度がより高いパターン等の、係合要素５３５のパターンを含む。包囲要素５１０は、第１の端部５４１、第２の端部５４２、及び中間部分５４５を有する。いくつかの場合では、包囲要素５１０は、半剛性又は剛性であることが可能である。包囲要素５１０は、例えば、ポリカーボネート、ポリエチレン、ナイロン、アクリロニトリルブタジエンスチレン（ＡＢＳ）、ポリプロピレン、及び／又はポリ塩化ビニル（ＰＶＣ）等の材料を含むことが可能である。いくつかの場合では、把持構成要素５２０及び係合構成要素５３０は、包囲要素５１０と同一の材料を含むことが可能である。いくつかの他の場合では、把持構成要素５２０及び係合構成要素５３０は、包囲要素５１０とは異なる材料を含むことが可能である。いくつかの場合では、把持構成要素は、包囲要素５１０のために使用される材料と同一の又は異なる材料を有することが可能である。いくつかの場合では、係合構成要素５３０は、例えばウレタン、熱可塑性材料、又は熱可塑性エラストマー（ＴＰＥ）等の軟質材料を使用することが可能である。係合要素５３５は、例えば円筒形、半球、プリズム、六角プリズム、台形プリズム、正六面体、直方体、円錐、又はピラミッド形等の任意の形状を有することが可能である。
【００４８】
図５Ｃは、ホースクランプ５００Ｃの別の実施形態の正面図を示す。ホースクランプ５００Ｃは、包囲要素５１０と、包囲要素から延在する任意選択的な把持構成要素５２０Ｃと、包囲要素上に配置された又は包囲要素と一体化された任意選択的な係合構成要素５３０とを含む。同一の符号を有する構成要素は、図５Ａ及び図５Ｂにおける対応する構成要素と同一又は同様の構成、組成、機能性、及び／又は関係性を有する。図示する実施形態では、把持構成要素５２０Ｃは、２つの要素５２１及び５２２を含む。
【００４９】
図６Ａは、包囲要素の内方表面に対面するホースクランプ６００の平坦図であり、図６Ｂは、ホースクランプ６００の斜視図であり、図６Ｃは、ホースクランプ６００の側面図である。ホースクランプ６００は、包囲要素６１０、任意選択的な把持構成要素６３０、及び任意選択的な係合構成要素６２０Ａを含む。包囲要素６１０は、第１の端部６１２、第２の端部６１４、及び中間部分６１６を含む。係合構成要素６２０Ａは、１つ以上の係合要素６２５のセットを含むことが可能である。一実施形態では、係合構成要素６２０Ａは、包囲要素６１０の第１の端部６１２に近接して配置された係合要素のセット６２２を含む。図６Ａに示す例では、係合要素のセット６２２は、線状に配置された複数の係合要素６２５（３つが図示される）を含み、係合要素６２５は、第１の端部６１２から傾斜した線状に配置される。いくつかの実施形態では、係合構成要素６２０Ａは、包囲要素６１０の第２の端部６１４に近接して配置された係合要素のセット６２４を含む。図６Ａに示す例では、係合要素のセット６２４は、線状に配置された複数の係合要素６２５を含み、係合要素６２５は、第２の端部６１４から傾斜した線状に配置される。いくつかの実施形態では、係合構成要素６２０Ａは、中間部分６１６中に配置された係合要素のセット６２６を含む。いくつかの場合では、係合要素のセット６２６は、線状に配置された少なくとも３つの係合要素６２５を含む。
【００５０】
図６Ｄ〜図６Ｇは、係合構成要素のいくつかの例の構成を示す。図６Ｄは、３つの細長係合要素６２２Ｄ、６２４Ｄ、及び６２６Ｄを含み、これらが相互に概ね平行であり、第１の端部６１２の近くから第２の端部６１４まで延在する、係合構成要素６２０Ｄを示す。図６Ｅは、３つの係合要素のセット（６２２Ｅ、６２４Ｅ、及び６２６Ｅ）を含む係合構成要素６２０Ｅを示す。係合要素のセット６２２Ｅは、第１の端部６１２に近接しており、線状である。係合要素のセット６２４Ｅは、第２の端部６１４に近接しており、概ね線状である。係合要素のセット６２６Ｅは、中央部分６１６に近接しており、各端部に対して概ね平行である。
【００５１】
図６Ｆは、３つの係合要素（６２２Ｆ、６２４Ｆ、及び６２６Ｆ）を含む係合構成要素６２０Ｆを示す。係合要素６２２Ｆは、第１の端部６１２に近接して配置され、係合要素６２４Ｆは、第２の端部６１４に近接して配置され、係合要素６２６Ｆは、中央部分６１６に配置される。図示するように、３つの係合要素６２２Ｆ、６２４Ｆ、及び６２６Ｆは、包囲要素６１０のエッジまでそれぞれ異なる距離を有する位置に配置されてもよい。図６Ｇは、複数の係合要素６２５を含む係合構成要素６２０Ｇを示す。一実施形態では、係合要素６２５は、第１の端部６１２から第２の端部６１４まで包囲要素６１０間にわたって不連続に配置され得る。
【００５２】
いくつかの実施形態では、対流システムが、膨張媒体源、対流装置、及び膨張媒体源と対流装置とを連結するホースとを含む。対流装置は、空気構造体と、空気構造体内への開口部とを含む。ホースは、対流装置の開口部に挿入するためのノズルを含む。対流装置は、本明細書において説明される対流装置の任意の実施形態を使用することが可能である。図７Ａ〜図７Ｎは、ノズル構成のいくつかの例を示す。図７Ａは、ノズル１３００Ａの側面図を示し、図７Ｂは、ノズルの端部に対面するノズル１３００Ａの斜視図を示す。図示する実施形態では、ノズル１３００Ａは、概ねＪ字形状である。ノズル１３００Ａは、第１の端部１３１０Ａ及び第２の端部１３２０Ａを含む。更に、第１の端部１３１０Ａの断面は、楕円形である。いくつかの実施形態では、第２の端部１３２０Ａの断面は、概ね円形である。いくつかの場合では、ノズル１３３０Ａは、ノズルと対流装置との間の連結を固定するために例えば隆起部などの障害装置（図示せず）を含んでもよい。第１の端部１３１０Ａに近接するフック部分は、例えば０〜９０度など、第２の端部１３２０Ａに近接する支持部分からの様々な角度と、様々な長さとを有することが可能である。
【００５３】
図７Ｃは、ノズル１３２０Ｃの側面図を示し、図７Ｄは、ノズル１３２０Ｃの別の側面図を示し、図７Ｅは、ノズルの一方の端部に対面するノズル１３００Ｃの斜視図を示す。ノズル１３００Ｃは、主要本体１３０５Ｃ、第１の端部１３１０Ｃ、及び第２の端部１３２０Ｃを含み、第１の端部１３１０Ｃは、対流装置の開口部に挿入されることとなる。いくつかの場合では、ノズル主要本体１３０５Ｃは、空気を通過させ得る１つ以上のベント（図示せず）を含む。ノズル１３００Ｃは、ノズル上に配置された障害装置１３３０Ｃを含む。いくつかの場合では、障害装置１３３０Ｃは、ノズルの過剰な挿入を防止するように構成される。いくつかの構成では、障害装置１３３０Ｃは、ノズル１３００Ｃの外周部の一部分又は全体にわたって配置される。
【００５４】
いくつかの実施形態では、障害装置１３３０Ｃは、ノズルの材料よりも軟質の材料を含む。いくつかの場合では、障害装置１３３０Ｃは、ポリエステル、ポリウレタン、ポリアミド、若しくはポリオレフィン混合物などの軟質又は剛性の熱可塑性エラストマー、又はラテックス、ニトリル、ミラブルポリウレタン、シリコーン、ブチル、及びネオプレンなどの天然ゴム並びに合成ゴムなどの熱硬化性エラストマーを含んでもよい。図示する例では、障害装置１３３０Ｃは、ノズル１３００Ｃの外周部に沿って配置される。いくつかの実施形態では、ノズル１３００Ｃは、ノズル１３００Ｃ上に配置された穿刺装置１３４０Ｃを含む。この例では、穿刺装置１３４０Ｃは、複数の穿刺要素１３４５Ｃを備え、各穿刺要素１３４５Ｃは、ノズル主要本体１３０５Ｃからの突出部である。いくつかの場合では、穿刺要素１３４５Ｃは、断面図において傾斜部を有し、第１の端部１３１０Ｃにより近い低突出部と、第１の端部１３１０Ｃからより遠い高突出部とを有する。いくつかの場合では、穿刺装置１３４０Ｃは、挿入を助長するように、かつ／又はホースが対流装置の開口部から滑脱するのを防止するように構成される。いくつかの場合では、穿刺装置１３４０Ｃは、障害装置１３３０Ｃよりも第１の端部１３１０Ｃに対してより近くに配置される。いくつかの場合では、穿刺要素１３４５Ｃのうちの少なくとも１つが、台形プリズムの形状である。いくつかの場合では、穿刺要素１３４５Ｃのうちの少なくとも１つが、三角形プリズムの形状である。いくつかの構成では、ノズル１３００Ｃは、第１の端部１３１０Ｃに突出部分１３１５Ｃを含む。
【００５５】
図７Ｆは、一方の端部からのノズル１３２０Ｆの斜視図を示し、図７Ｇは、ノズル１３２０Ｆの側面図を示し、図７Ｈは、ノズル１３００Ｆの別の側面図を示す。ノズル１３００Ｆは、主要本体１３０５Ｆ、第１の端部１３１０Ｆ、及び第２の端部１３２０Ｆを含み、第１の端部１３１０Ｆは、対流装置の開口部に挿入されることとなる。ホースは、ノズル上に配置された障害装置１３３０Ｆを含む。いくつかの場合では、障害装置１３３０Ｆは、ノズルが過剰に挿入されるのを防止するように構成される。いくつかの構成では、障害装置１３３０Ｆは、ノズル１３００Ｆの外周部の一部分に配置される。図示する例では、障害装置１３３０Ｆは、ノズル１３００Ｆ上にパターン状に配置された複数の障害要素１３３５Ｆを含む。いくつかの実装形態では、障害要素１３３５Ｆのそれぞれの断面は、概ね三角形である。いくつかの構成では、ノズル１３００Ｆは、第１の端部１３１０Ｆに突出部分１３１５Ｆを含む。
【００５６】
図７Ｉは、ノズル１３２０Ｉの側面図を示し、図７Ｊは、ノズル１３２０Ｉの別の側面図を示し、図７Ｋは、ノズルの一方の端部に対面するノズル１３００Ｉの斜視図を示す。ノズル１３００Ｉは、主要本体１３０５Ｉ、第１の端部１３１０Ｉ、及び第２の端部１３２０Ｉを含み、第１の端部１３１０Ｉは、対流装置の開口部に挿入されることとなる。いくつかの場合では、ノズル主要本体１３０５Ｉは、空気を通過させる１つ以上のベント（図示せず）を含む。いくつかの場合では、ノズル主要本体１３０５Ｉは、主要本体の２つの部分の間に角度１３０３Ｉを有する。ノズル１３００Ｉは、例えば凹状部分１３３５Ｉを有することなどによりノズル主要本体と一体化される障害装置１３３０Ｉを含む。いくつかの場合では、障害装置１３３０Ｉは、ノズルが過剰に挿入されるのを防止するように構成される。いくつかの構成では、障害装置１３３０Ｉは、ノズル１３３０Ｉの外周部の一部分又は全体と一体化され、凹部１３３５Ｉは、ノズル１３００Ｉの外周部の一部分又は全体にわたって延在する。
【００５７】
いくつかの実施形態では、ノズル１３００Ｉは、ノズル１３００Ｉ上に配置された穿刺装置１３４０Ｉを含む。この例では、穿刺装置１３４０Ｉは、複数の穿刺要素１３４５Ｉを備え、穿刺要素１３４５Ｉは、ノズル主要本体１３０５Ｉからの突出部である。いくつかの場合では、穿刺要素１３４５Ｉは、断面図において傾斜部を有し、第１の端部１３１０Ｉにより近い低突出部と、第１の端部からより遠い高突出部とを有する。いくつかの場合では、穿刺装置１３４０Ｉは、場合によっては凹状部分１３３５Ｉと共に、挿入を助長するようにかつ／又はホースが対流装置の開口部から滑脱するのを防止するように構成される。いくつかの場合では、穿刺装置１３４０Ｉは、障害装置１３３０Ｉよりも第１の端部１３１０Ｉに対してより近くに配置される。いくつかの場合では、穿刺要素１３４５Ｉは、台形プリズムの形状である。いくつかの場合では、穿刺要素１３４５Ｉは、三角形プリズムの形状である。
【００５８】
図７Ｌは、ノズル１３２０Ｌの側面図を示し、図７Ｍは、ノズル１３２０Ｌの別の側面図を示し、図７Ｎは、ノズルの一方の端部に対面するノズル１３００Ｌの斜視図を示す。ノズル１３００Ｌは、主要本体１３０５Ｌ、第１の端部１３１０Ｌ、及び第２の端部１３２０Ｌを含み、第１の端部１３１０Ｌは、対流装置の開口部に挿入されることとなる。いくつかの場合では、ノズル主要本体１３０５Ｌは、空気を通過させる１つ以上のベント（図示せず）を含む。いくつかの場合では、ノズル主要本体１３０５Ｌは、主要本体の２つの部分の間に角度１３０３Ｌを有する。ノズル１３００Ｌは、ノズル主要本体１３０５Ｌから突出する障害装置１３３０Ｌを含む。いくつかの場合では、ノズル１３００Ｌは、障害装置１３３０Ｌに隣接する凹状部分を含む。いくつかの場合では、障害装置１３３０Ｌは、ノズルが過剰に挿入されるのを防止するように構成される。いくつかの構成では、障害装置１３３０Ｌは、ノズル１３００Ｌの外周部の一部分又は全体にわたって配置され、凹部１３３５Ｌは、ノズル１３００Ｌの外周部の一部分又は全体にわたり延在する。
【００５９】
いくつかの実施形態では、障害装置１３３０Ｌは、ノズルの材料よりも軟質の材料を含む。いくつかの場合では、障害装置１３３０Ｌは、ポリエステル、ポリウレタン、ポリアミド、若しくはポリオレフィン混合物などの軟質又は剛性の熱可塑性エラストマー、又はラテックス、ニトリル、ミラブルポリウレタン、シリコーン、ブチル、及びネオプレンなどの天然ゴム並びに合成ゴムなどの熱硬化性エラストマーを含んでもよい。図示する例では、障害装置１３３０Ｌは、ノズル主要本体１３０５Ｌの外周部に沿って配置される。いくつかの実施形態では、ノズル１３００Ｌは、ノズル１３００Ｌ上に配置された穿刺装置１３４０Ｌを含む。この例では、穿刺装置１３４０Ｌは、１つ以上の穿刺要素１３４５Ｌを備え、穿刺要素１３４５Ｌは、ノズル主要本体１３０５Ｌからの突出部である。いくつかの場合では、穿刺要素１３４５Ｌは、断面図において傾斜部を有し、第１の端部１３１０Ｌにより近い低突出部と、第１の端部１３１０Ｌからより遠い高突出部とを有する。いくつかの場合では、穿刺装置１３４０Ｌは、挿入を助長するように、かつ／又はホースが対流装置の開口部から滑脱するのを防止するように構成される。いくつかの場合では、穿刺装置１３４０Ｌは、障害装置１３３０Ｌよりも第１の端部１３１０Ｌに対してより近くに配置される。いくつかの場合では、穿刺要素１３４５Ｌは、台形プリズムの形状である。いくつかの場合では、穿刺要素１３４５Ｌは、三角形プリズムの形状である。
【００６０】
図８Ａ、図８Ｂ、及び図８Ｃは、可撓性ダクトを使用する対流システム８００の一例を示す。対流システムは、一方の端部にてノズル８２０に連結された可撓性ダクト８１０を含む。いくつかの場合では、ノズル８２０は、ノズルの過剰な挿入を防止するために障害装置８２５を含んでもよい。図８Ｂは、ノズル８３０を介して膨張媒体源８４０に連結した可撓性ダクト８１０を示す。この例では、可撓性ダクト８１０は、ホースクランプ８３５を用いてノズル８３０に連結される。可撓性ダクト、ノズル、及びホースクランプは、本開示で説明される可撓性ダクト、ノズル、及びホースクランプの任意の構成を使用してもよい。図８Ｃは、可撓性ダクト８１０が、対流装置８５０の開口部８５５を介して対流装置８５０に連結されているのを示す。ノズル８２０は、開口部８５５に挿入される。
例示的な実施形態
【００６１】
項Ａ１．対流装置用の可撓性ダクトであって、
可撓性材料を含み、膨張されたときに概ね管形状である膨張可能管状構造体であって、第１の長手方向エッジ及び第１の長手方向エッジに対向する第２の長手方向エッジを有する、管状構造体と、
管状構造体上にパターン状に配置された複数の空気ガイド要素を備える空気ガイド装置であって、管状構造体が曲げられたときに膨張媒体の流れを方向付けるように構成された、空気ガイド装置とを備える、可撓性ダクト。
【００６２】
項Ａ２．空気ガイド装置は、区画されたシールを備える、項Ａ１に記載の可撓性ダクト。
【００６３】
項Ａ３．空気ガイド装置は、第１の長手方向エッジに近接して配置された第１のセットの空気ガイド要素を備える、項Ａ１又はＡ２に記載の可撓性ダクト。
【００６４】
項Ａ４．第１のセットの空気ガイド要素は、第１の長手方向エッジに沿って概ね等間隔で配置される、項Ａ３に記載の可撓性ダクト。
【００６５】
項Ａ５．空気ガイド装置は、第２の長手方向エッジに近接して配置された第２のセットの空気ガイド要素を更に備える、項Ａ３に記載の可撓性ダクト。
【００６６】
項Ａ６．第１のセットの空気ガイド要素は、第１の長手方向エッジに沿って概ね等間隔で配置され、第２のセットの空気ガイド要素は、第２の長手方向エッジに沿って概ね等間隔で配置される、項Ａ５に記載の可撓性ダクト。
【００６７】
項Ａ７．第１のセットの空気ガイド要素及び第２のセットの空気ガイド要素は、互い違いのパターンで配置される、項Ａ１〜Ａ６のいずれか一項に記載の可撓性ダクト。
【００６８】
項Ａ８．管状構造体は、第１の長手方向エッジ及び第２の長手方向エッジに沿ってシールされた２つの可撓性層を備える、項Ａ１〜Ａ７のいずれか一項に記載の可撓性ダクト。
【００６９】
項Ａ９．管状構造体は、第１の長手方向エッジに沿ってシールされた１つの可撓性層を備える、項Ａ１〜Ａ８のいずれか一項に記載の可撓性ダクト。
【００７０】
項Ａ１０．可撓性ダクトは使い捨て型である、項Ａ１〜Ａ９のいずれか一項に記載の可撓性ダクト。
【００７１】
項Ａ１１．
空気構造体及び開口部を備える対流装置と、
可撓性材料を含み、膨張されたときに概ね管形状である膨張可能管状構造体と、
管状構造体内に配置された空気ガイド装置とを備える、使い捨て可能ダクトと、
使い捨て可能ダクトに連結するように構成されたノズルとを備え、
開口部がノズルを受け入れるように構成される、対流システム。
【００７２】
項Ａ１２．空気ガイド装置は、管状構造体上にパターン状に配置された複数の空気ガイド要素を備え、空気ガイド装置は、管状構造体が曲げられたときに膨張媒体の流れを方向付けるように構成される、項Ａ１１に記載の対流システム。
【００７３】
項Ａ１３．空気ガイド装置は、区画されたシールを備える、項Ａ１１又はＡ１２に記載の対流システム。
【００７４】
項Ａ１４．空気ガイド装置は、膨張可能管状構造体の第１の長手方向エッジに近接配置された第１のセットの空気ガイド要素を備える、項Ａ１１〜Ａ１３のいずれか一項に記載の対流システム。
【００７５】
項Ａ１５．第１のセットの空気ガイド要素は、第１の長手方向エッジに沿って概ね等間隔で配置される、項Ａ１４に記載の対流システム。
【００７６】
項Ａ１６．空気ガイド装置は、第１の長手方向エッジに対向する膨張可能管状構造体の第２の長手方向エッジに近接して配置された第２のセットの空気ガイド要素を更に備える、項Ａ１４に記載の対流システム。
【００７７】
項Ａ１７．第１のセットの空気ガイド要素は、第１の長手方向エッジに沿って概ね等間隔で配置され、第２のセットの空気ガイド要素は、第２の長手方向エッジに沿って概ね等間隔で配置される、項Ａ１６に記載の対流システム。
【００７８】
項Ａ１８．第１のセットの空気ガイド要素及び第２のセットの空気ガイド要素は、互い違いのパターンで配置される、項Ａ１７に記載の対流システム。
【００７９】
項Ａ１９．管状構造体は、インフレーションフィルムを備える、項Ａ１１〜Ａ１８のいずれか一項に記載の対流システム。
【００８０】
項Ａ２０．管状構造体は、第１の長手方向エッジに沿ってシールされた１つの可撓性層を備える、項Ａ１１〜Ａ２０のいずれか一項に記載の対流システム。
【００８１】
項Ａ２１．可撓性ダクトは使い捨て型である、項Ａ１１〜Ａ２０のいずれか一項に記載の対流システム。
【００８２】
項Ｂ１．
１つ以上の層により形成された空気構造体と、
膨張媒体源と連通状態にあるホースを受け入れるように構成された部分的に取外し可能なアクセスダクトであって、空気構造体と流体連通状態にある部分的に取外し可能なアクセスダクトと、
部分的に取外し可能なアクセスダクトの面上に配置された分離装置とを備える、対流装置。
【００８３】
項Ｂ２．分離装置は、分離要素と、分離要素を囲むシールとを備える、項Ｂ１に記載の対流装置。
【００８４】
項Ｂ３．分離要素は、脆弱ライン、ミシン目、及びスリットのうちの少なくとも１つを備える、項Ｂ１又はＢ２に記載の対流装置。
【００８５】
項Ｂ４．アクセスダクトは、アクセスダクト内に配置された空気ガイド装置を備え、空気ガイド装置は、アクセスダクトが曲げられたときに膨張媒体の流れを方向付けるように構成される、項Ｂ１〜Ｂ３のいずれか一項に記載の対流装置。
【００８６】
項Ｂ５．空気ガイド装置は、複数の区画されたシールを備える、項Ｂ４に記載の対流装置。
【００８７】
項Ｂ６．区画されたシールのうちの少なくとも一部が、アクセスダクトの長手方向エッジに近接して配置される、項Ｂ５に記載の対流装置。
【００８８】
項Ｂ７．区画されたシールの少なくとも一部が、長手方向エッジに沿って概ね等間隔で配置される、項Ｂ６に記載の対流装置。
【００８９】
項Ｂ８．
１つ以上の層により形成された空気構造体と、
膨張媒体源と連通状態にあるホースを受け入れるように構成された部分的に取外し可能なアクセスダクトであって、空気構造体と流体連通状態にある取外し可能なアクセスダクトとを備える、対流装置と、
部分的に取外し可能なアクセスダクトの面上に配置された分離装置とを備える、対流システム。
【００９０】
項Ｂ９．分離装置は、分離要素と、分離要素を囲むシールとを備える、項Ｂ８に記載の対流システム。
【００９１】
項Ｂ１０．分離要素は、脆弱ライン、ミシン目、及びスリットのうちの少なくとも１つを備える、項Ｂ８及びＢ９に記載の対流システム。
【００９２】
項Ｂ１１．アクセスダクトは、アクセスダクト内に配置された空気ガイド装置を備え、空気ガイド装置は、アクセスダクトが曲げられたときに膨張媒体の流れを方向付けるように構成される、項Ｂ８〜Ｂ１０のいずれか一項に記載の対流システム。
【００９３】
項Ｂ１２．空気ガイド装置は、複数の区画されたシールを備える、項Ｂ１１に記載の対流システム。
【００９４】
項Ｂ１３．区画されたシールのうちの少なくとも一部が、アクセスダクトの長手方向エッジに近接して配置される、項Ｂ１２に記載の対流システム。
【００９５】
項Ｂ１４．区画されたシールのうちの少なくとも一部が、長手方向エッジに沿って概ね等間隔で配置される、項Ｂ１３に記載の対流システム。
【００９６】
項Ｂ１５．
膨張媒体源に連結するように構成されたホースと、
包囲要素と、
包囲要素から延在する把持構成要素とを備える、ホースクランプとを更に備え、
ホースは、アクセスダクトに連結するように構成され、ホースクランプは、アクセスダクト及びホースの連結部にて使用するように構成される、項Ｂ８〜Ｂ１４のいずれか一項に記載の対流システム。
【００９７】
項Ｂ１６．包囲要素は、第１の端部及び第２の端部を有し、係合構成要素は、第１の端部に近接して配置された第１のセットの空気ガイド要素を備える、項Ｂ１５に記載の対流システム。
【００９８】
項Ｂ１７．係合構成要素は、第２の端部に近接して配置された第２のセットの空気ガイド要素を更に備える、項Ｂ１６に記載の対流システム。
【００９９】
上述の実施形態は本発明の様々な態様の説明を容易にするように詳細に記載されているため、本発明は、上述の特定の実施例及び実施形態に限定されるものとみなされるべきではない。むしろ、本発明は、添付の特許請求の範囲及びその均等物により定義されるような本発明の趣旨及び範囲内に含まれる様々な修正、均等プロセス、及び代替装置を含む、本発明の全ての態様を範囲に含むように理解されるべきである。
【図１Ａ】
2018500110.tif 000003
【図１Ｂ】
2018500110.tif 000004
【図２Ａ】
2018500110.tif 000005
【図２Ｂ】
2018500110.tif 000006
【図２Ｃ】
2018500110.tif 000007
【図２Ｄ】
2018500110.tif 000008
【図２Ｅ】
2018500110.tif 000009
【図２Ｆ】
2018500110.tif 000010
【図２Ｇ】
2018500110.tif 000011
【図３Ａ】
2018500110.tif 000012
【図３Ｂ】
2018500110.tif 000013
【図３Ｃ】
2018500110.tif 000014
【図４Ａ】
2018500110.tif 000015
【図４Ｂ】
2018500110.tif 000016
【図４Ｃ】
2018500110.tif 000017
【図４Ｄ】
2018500110.tif 000018
【図４Ｅ】
2018500110.tif 000019
【図４Ｆ】
2018500110.tif 000020
【図４Ｇ】
2018500110.tif 000021
【図４Ｈ】
2018500110.tif 000022
【図５Ａ】
2018500110.tif 000023
【図５Ｂ】
2018500110.tif 000024
【図５Ｃ】
2018500110.tif 000025
【図６Ａ】
2018500110.tif 000026
【図６Ｂ】
2018500110.tif 000027
【図６Ｃ】
2018500110.tif 000028
【図６Ｄ】
2018500110.tif 000029
【図６Ｅ】
2018500110.tif 000030
【図６Ｆ】
2018500110.tif 000031
【図６Ｇ】
2018500110.tif 000032
【図７Ａ】
2018500110.tif 000033
【図７Ｂ】
2018500110.tif 000034
【図７Ｃ】
2018500110.tif 000035
【図７Ｄ】
2018500110.tif 000036
【図７Ｅ】
2018500110.tif 000037
【図７Ｆ】
2018500110.tif 000038
【図７Ｇ】
2018500110.tif 000039
【図７Ｈ】
2018500110.tif 000040
【図７Ｉ】
2018500110.tif 000041
【図７Ｊ】
2018500110.tif 000042
【図７Ｋ】
2018500110.tif 000043
【図７Ｌ】
2018500110.tif 000044
【図７Ｍ】
2018500110.tif 000045
【図７Ｎ】
2018500110.tif 000046
【図８Ａ】
2018500110.tif 000047
【図８Ｂ】
2018500110.tif 000048
【図８Ｃ】
2018500110.tif 000049
【国際調査報告】
2018500110.tif 000050
2018500110.tif 000051
2018500110.tif 000052